(57)【要約】【課題】既設構造物を容易に連結できる構造物の連結具を提供する。【解決手段】連結具３は、遮水壁２の間に設けられ、遮水壁２の間を止水すると共に、遮水壁２の間の相対的な移動を許容する止水可動連結部１０を備える。止水可動連結部１０は、互いに縁が切られた一対のスライド金物９と、可撓性を有するゴムジョイント１１と、を有する。一対のスライド金物９は、遮水壁２に対して縁が切られるように配置される。ゴムジョイント１１は、一対のスライド金物９のそれぞれに水密に固定される。【選択図】図２
2018150713.tif 000002
【特許請求の範囲】
【請求項１】
水圧が作用する第１構造物を前記水圧が作用する第２構造物に連結する構造物の連結具であって、
前記第１構造物と前記第２構造物との間に設けられ、前記第１構造物と前記第２構造物との間を止水すると共に前記第１構造物に対する前記第２構造物の相対的な移動を許容する止水可動連結部を備え、
前記止水可動連結部は、互いに縁が切られた一対の連結金物と、前記第１構造物及び前記第２構造物において前記水圧が作用しない面の側に配置された可撓性を有する止水膜部と、を有し、
一方の前記連結金物は、前記第１構造物に対して縁が切られるように配置され、
他方の前記連結金物は、前記第２構造物に対して縁が切られるように配置され、
前記止水膜部は、一方の前記連結金物に水密に固定される第１固定辺部と、他方の前記連結金物に水密に固定される第２固定辺部と、を有する、構造物の連結具。
【請求項２】
一方の前記連結金物と前記第１構造物との間には、第１止水部が配置され、
他方の前記連結金物と前記第２構造物との間には、第２止水部が配置される、請求項１に記載の構造物の連結具。
【請求項３】
前記第１構造物は、前記水圧が作用する第１作用面部、前記水圧が作用しない第１非作用面部、及び、前記第１作用面部と前記第１非作用面部とを連結する第１連結面部を有し、
前記第２構造物は、前記水圧が作用する第２作用面部、前記水圧が作用しない第２非作用面部、及び、前記第２作用面部と前記第２非作用面部とを連結する第２連結面部を有し、
一方の前記連結金物は、前記第１作用面部上に前記第１止水部を挟んで配置される第１部分と、前記第１非作用面部上に配置され前記止水膜部の前記第１固定辺部が水密に固定される第２部分と、を有し、
他方の前記連結金物は、前記第２作用面部上に前記第２止水部を挟んで配置される第３部分と、前記第２非作用面部上に配置され前記止水膜部の前記第２固定辺部が水密に固定される第４部分と、を有する、請求項２に記載の構造物の連結具。
【請求項４】
一方の前記連結金物における前記第２部分には、前記水圧の方向に沿って延びる第１補強部が設けられ、
他方の前記連結金物における前記第４部分には、前記水圧の方向に沿って延びると共に、前記第１補強部に対して所定の距離だけ離間して前記第１補強部に対面する第２補強部が設けられ、
前記第１補強部と前記第２補強部との間には、前記止水膜部における可撓部が配置される、請求項３に記載の構造物の連結具。
【請求項５】
一方の前記連結金物における上端に固定され、一方の前記連結金物を前記第１構造物の前記第１連結面部に押圧する押圧部を更に備える、請求項４に記載の構造物の連結具。
【請求項６】
水圧が作用する第１構造物と、
前記水圧が作用する第２構造物と、
前記第１構造物と前記第２構造物との間に設けられ、前記第１構造物と前記第２構造物との間を止水すると共に前記第１構造物に対する前記第２構造物の相対的な移動を許容する止水可動連結部と、を備え、
前記止水可動連結部は、互いに縁が切られた一対の連結金物と、前記水圧が作用しない面の側に配置された可撓性を有する止水膜部と、を有し、
一方の前記連結金物は、前記第１構造物に対して縁が切られるように配置され、
他方の前記連結金物は、前記第２構造物に対して縁が切られるように配置され、
前記止水膜部は、一方の前記連結金物に水密に固定される第１固定辺部と、他方の前記連結金物に水密に固定される第２固定辺部と、を有する、連結構造物。
【請求項７】
支持地盤上に設けられて、前記第１構造物及び前記第２構造物が配置される基礎構造物を更に備え、
前記第１構造物及び前記第２構造物は、前記基礎構造物から縁が切られると共に、前記支持地盤によって支持され、
前記止水可動連結部の下端は、前記基礎構造物に保持されている、請求項６に記載の連結構造物。
【請求項８】
前記第１構造物及び前記第２構造物は、遮水壁であり、
前記基礎構造物は、フーチングである、請求項７に記載の連結構造物。
【請求項９】
水圧が作用する第１構造物を前記水圧が作用する第２構造物に連結する連結構造物の施工方法であって、
前記第１構造物と前記第２構造物との間に設けられ、前記第１構造物と前記第２構造物との間を止水すると共に前記第１構造物に対する前記第２構造物の相対的な移動を許容する止水可動連結部を準備する工程と、
前記止水可動連結部を前記第１構造物と前記第２構造物との間の隙間に挿し込む工程と、を有し、
前記止水可動連結部は、互いに縁が切られた一対の連結金物と、前記第１構造物及び前記第２構造物において前記水圧が作用しない面の側に配置された可撓性を有する止水膜部と、を有し、一方の前記連結金物は、前記第１構造物に対して縁が切られるように配置され、他方の前記連結金物は、前記第２構造物に対して縁が切られるように配置され、前記止水膜部は、一方の前記連結金物に水密に固定される第１固定辺部と、他方の前記連結金物に水密に固定される第２固定辺部と、を有する、連結構造物の施工方法。
【発明の詳細な説明】
【技術分野】
【０００１】
本発明は、水圧が作用する構造物の連結具、連結構造物及び連結構造物の施工方法に関する。
【背景技術】
【０００２】
特許文献１には、構造物の連結具が開示されている。この連結構造では、構造物の間に架け渡されるように可撓性を有する膨出部が配置されている。膨出部の両端は、ボルトによってそれぞれの構造物に固定されている。この膨出部によれば、２個の構造物の相対的な位置変動を許容すると共に、構造物の間に形成された目地からの水の侵入を防ぐ。
【先行技術文献】
【特許文献】
【０００３】
【特許文献１】特開２００４−３５３２２５号公報
【発明の概要】
【発明が解決しようとする課題】
【０００４】
特許文献１の構造は、膨出部である止水ジョイントをそれぞれの既設構造物に対して直接に固定している。従って、膨出部を固定するために、既設構造物に対してアンカーを設けるための削孔作業が生じる。既設構造物が大規模になるほど、このような付帯作業が大掛かりになる。例えば、既設構造物がコンクリート構造物である場合、ネジ穴やアンカーボルトを設ける作業では既設構造物が有する鉄筋との干渉に注意する必要がある。また、既設構造物が鋼構造物である場合、塗装膜の除去やスタッド溶接といったさらなる付帯作業が生じる。
【０００５】
そこで、本発明は、既設構造物を容易に連結できる構造物の連結具、当該連結具を用いて構成される連結構造物及び連結構造物の施工方法を提供する。
【課題を解決するための手段】
【０００６】
本発明の一形態は、水圧が作用する第１構造物を水圧が作用する第２構造物に連結する構造物の連結具であって、第１構造物と第２構造物との間に設けられ、第１構造物と第２構造物との間を止水すると共に第１構造物に対する第２構造物の相対的な移動を許容する止水可動連結部を備え、止水可動連結部は、互いに縁が切られた一対の連結金物と、第１構造物及び第２構造物において水圧が作用しない面の側に配置された可撓性を有する止水膜部と、を有し、一方の連結金物は、第１構造物に対して縁が切られるように配置され、他方の連結金物は、第２構造物に対して縁が切られるように配置され、止水膜部は、一方の連結金物に水密に固定される第１固定辺部と、他方の連結金物に水密に固定される第２固定辺部と、を有する。
【０００７】
この連結具によれば、止水性を担保する止水可動連結部の止水膜部が、一対の連結金物に対して固定される。そして、一対の連結金物は、第１構造物及び第２構造物に対して縁が切られるように、第１構造物及び第２構造物の間に配置される。すなわち、止水膜部は、第１構造物及び第２構造物に対して直接に固定されておらず、一対の連結金物を介して第１構造物及び第２構造物に設けられる。従って、第１構造物と第２構造物との間の相対的な変位を許容し且つ止水性を確保する構造を、第１構造物及び第２構造物に対して追加的な作業を行うことなく施工することが可能になる。従って、既設構造物である第１構造物及び第２構造物を容易に連結できる。
【０００８】
一形態において、一方の連結金物と第１構造物との間には、第１止水部が配置され、他方の連結金物と第２構造物との間には、第２止水部が配置されてもよい。この構成によれば、第１構造物及び第２構造物の間における止水性を向上させることができる。
【０００９】
一形態において、第１構造物は、水圧が作用する第１作用面部、水圧が作用しない第１非作用面部、及び、第１作用面部と第１非作用面部とを連結する第１連結面部を有し、第２構造物は、水圧が作用する第２作用面部、水圧が作用しない第２非作用面部、及び、第２作用面部と第２非作用面部とを連結する第２連結面部を有し、一方の連結金物は、第１作用面部上に第１止水部を挟んで配置される第１部分と、第１非作用面部上に配置され止水膜部の第１固定辺部が水密に固定される第２部分と、を有し、他方の連結金物は、第２作用面部上に第２止水部を挟んで配置される第３部分と、第２非作用面部上に配置され止水膜部の第２固定辺部が水密に固定される第４部分と、を有してもよい。この構造によれば、第１構造物及び第２構造物の間における止水性を更に向上させることができる。
【００１０】
一形態において、一方の連結金物における第２部分には、水圧の方向に沿って延びる第１補強部が設けられ、他方の連結金物における第４部分には、水圧の方向に沿って延びると共に、第１補強部に対して所定の距離だけ離間して第１補強部に対面する第２補強部が設けられ、第１補強部と第２補強部との間には、止水膜部における可撓部が配置されてもよい。第１構造物と第２構造物とが互いに離間するように変形したとき、一対の連結金物の間に隙間が生じる。この隙間を介して止水膜部に水圧が作用する。そして、水圧によって止水膜部が変形する。このとき、止水膜部は第１補強部材と第２補強部材との間に配置された可撓部が第１補強部材と第２補強部材の間に形成される隙間形状に倣って変形する。すなわち、水圧による可撓部の変形形状は、隙間形状に規制される。従って、可撓部に発生する張力の最大値を抑制することが可能になるので、止水膜部を経済的に設計すると共に止水性をいっそう高めることができる。
【００１１】
一形態において、一方の連結金物における上端に固定され、一方の連結金物を第１構造物の第１連結面部に押圧する押圧部を更に備えてもよい。このような構造によれば、第１構造物と第２構造物とが互いに離間するように変形したときであっても、連結金物をそれぞれの構造物の移動に追従させることができる。従って、連結金物とそれぞれの構造物との間の止水性を確実に得ることができる。
【００１２】
本発明の別の形態は、連結構造物である。連結構造物は、水圧が作用する第１構造物と、水圧が作用する第２構造物と、第１構造物と第２構造物との間に設けられ、第１構造物と第２構造物との間を止水すると共に第１構造物に対する第２構造物の相対的な移動を許容する止水可動連結部と、を備え、止水可動連結部は、互いに縁が切られた一対の連結金物と、水圧が作用しない面の側に配置された可撓性を有する止水膜部と、を有し、一方の連結金物は、第１構造物に対して縁が切られるように配置され、他方の連結金物は、第２構造物に対して縁が切られるように配置され、止水膜部は、一方の連結金物に水密に固定される第１固定辺部と、他方の連結金物に水密に固定される第２固定辺部と、を有する。
【００１３】
この連結構造物は、上述の連結具を備えている。従って、上述の連結具と同様に、第１構造物と第２構造物との間の相対的な変位を許容し且つ止水性を確保する構造を、第１構造物及び第２構造物に対して追加的な作業を行うことなく施工することが可能になる。従って、連結構造物を容易に施工できる。
【００１４】
別の形態において、連結構造物は、支持地盤上に設けられて、第１構造物及び第２構造物が配置される基礎構造物を更に備え、第１構造物及び第２構造物は、基礎構造物から縁が切られると共に、支持地盤によって支持され、止水可動連結部の下端は、基礎構造物に保持されてもよい。この構造では、第１構造物及び第２構造物に対して連結具の縁が切られているので、基礎構造物が沈降した場合に連結具もその沈降に伴って、第１構造物及び第２構造物に対して下方に移動することができる。従って、基礎構造物と連結具との間には相対的な変形が生じにくくなるので、基礎構造物と連結具との接続部分においてより確実に止水性を確保することができる。
【００１５】
別の形態において、第１構造物及び第２構造物は、遮水壁であり、基礎構造物は、フーチングであってもよい。この構成によれば、止水性と連結構造物の柔軟性を両立させた遮水壁構造を得ることができる。
【００１６】
本発明の更に別の形態は、連結構造物の施工方法である。施工方法は、水圧が作用する第１構造物を水圧が作用する第２構造物に連結する連結構造物の施工方法であって、第１構造物と第２構造物との間に設けられ、第１構造物と第２構造物との間を止水すると共に第１構造物に対する第２構造物の相対的な移動を許容する止水可動連結部を準備する工程と、止水可動連結部を第１構造物と第２構造物との間の隙間に挿し込む工程と、を有し、止水可動連結部は、互いに縁が切られた一対の連結金物と、第１構造物及び第２構造物において水圧が作用しない面の側に配置された可撓性を有する止水膜部と、を有し、一方の連結金物は、第１構造物に対して縁が切られるように配置され、他方の連結金物は、第２構造物に対して縁が切られるように配置され、止水膜部は、一方の連結金物に水密に固定される第１固定辺部と、他方の連結金物に水密に固定される第２固定辺部と、を有する。
【００１７】
この連結構造物の施工方法は、上述の連結具を用いて第１構造物と第２構造物とを連結する。従って、第１構造物と第２構造物との間の相対的な変位を許容し且つ止水性を確保する構造を、第１構造物及び第２構造物に対して追加的な作業を行うことなく施工することが可能になる。従って、容易に連結構造物を施工できる。
【発明の効果】
【００１８】
本発明に係る構造物の連結具、連結構造及び連結構造の施工方法によれば、構造物間の相対的な位置変動を許容しながら止水性を確保する連結構造を容易に施工できる。
【図面の簡単な説明】
【００１９】
【図１】図１は、第１実施形態に係る連結具が用いられた連結構造物を示す斜視図である。
【図２】図２は、図１に示された連結具の上端を拡大して示す斜視図である。
【図３】図３は、図２に示された連結具の平面図である。
【図４】図４は、図１に示された遮水壁の平面図である。
【図５】図５は、第１実施形態に係る連結構造物の施工方法の主要な工程を示すフロー図である。
【図６】図６は、第２実施形態に係る連結具の平面図である。
【発明を実施するための形態】
【００２０】
以下、添付図面を参照しながら本発明を実施するための形態を詳細に説明する。図面の説明において同一の要素には同一の符号を付し、重複する説明を省略する。
【００２１】
図１に示されるように、連結構造物１は、水域１０１と陸域１０２とを隔てる壁である。従って、連結構造物１は、水域１０１から作用する水圧に耐えると共に、水域１０１における水の陸域１０２への侵入を防ぐ。以下の説明において、連結構造物１に対して垂直に作用する水圧の方向を「水圧方向Ｐ」と呼ぶ。連結構造物１は、互いに連結される複数の遮水壁２（第１構造物、第２構造物）を有する。遮水壁２同士は、連結具３によって連結される。この連結形態では、互いに隣接する一方の遮水壁２は隣の遮水壁２に力を伝達しないように、いわゆる縁が切られた状態とされる。より詳細には、「縁が切られている」とは、一方の遮水壁２が他方の遮水壁２に対して水圧方向Ｐにずれたとき、一方の遮水壁２から他方の遮水壁２に対して力が伝達されないことをいう。また、一方の遮水壁２が他方の遮水壁２に対して鉛直方向（Ｚ方向）にずれたとき、一方の遮水壁２から他方の遮水壁２に対して力が伝達されないことをいう。すなわち、せん断方向への力の伝達がなされないことを意味する。また、この連結形態では、互いに隣接する遮水壁２の間から水が侵入しないように、止水性を発揮する状態とされる。従って、遮水壁２は、地震等による遮水壁２の相対的な位置変動を許容しつつ、位置変動が生じた場合も含み常に止水性を発揮する。
【００２２】
複数の遮水壁２は、支持遮水壁２Ａと、中間遮水壁２Ｂとを含む。支持遮水壁２Ａは、支持杭４Ａと、遮水壁体６とを有する。支持杭４Ａは、鉛直方向に延在する筒状を呈し、下端が支持地盤に突き当てられている。なお、支持杭４Ａは、フーチング７（基礎構造物）とは縁が切られている。従って、フーチング７が沈下しても支持杭４Ａが沈下することはない。中間遮水壁２Ｂは、中間杭４Ｂと、遮水壁体６とを有する。中間杭４Ｂは、鉛直方向に延在する筒状を呈し、下端が支持地盤に到達していない。中間杭４Ｂは、フーチング７の沈下に伴って沈下する。遮水壁体６は、支持杭４Ａ又は中間杭４Ｂに取り付けられて、隣接する別の遮水壁体６と協働して水域１０１から水圧を受ける水圧面を構成する。遮水壁体６の下端はフーチング７に埋め込まれる。ここで、支持杭４Ａに設けられる遮水壁体６は、想定される沈下量以上に下端部をフーチング７に埋め込んでいる。例えば、想定される沈下量が１００センチメートルであるとき、さらに３０センチメートルの余裕を設けて、埋め込み深さは、１３０センチメートルに設定される。一方、中間杭４Ｂに設けられる遮水壁体６は、フーチング７の沈下に伴って沈降するため、支持杭４Ａに設けられる遮水壁体６ほどの埋め込み深さを設けていなくてよい。例えば、埋め込み深さは３０センチメートルである。
【００２３】
図２に示されるように、遮水壁体６は、作用面６ａ（第１作用面部、第２作用面部）と、非作用面６ｂ（第１非作用面部、第２非作用面部）と、連結面６ｃ（第１連結面部、第２連結面部）とを有する。なお、図２は、後述する押圧部２２の図示を省略している。作用面６ａは、水域１０１に面する平面部である。非作用面６ｂは、陸域１０２に面する側に設けられる。非作用面６ｂは、支持杭４Ａの外形形状に沿う湾曲部６ｂ１と、湾曲部６ｂ１の両脇に設けられた一対の平面部６ｂ２を有する。連結面６ｃは、作用面６ａと非作用面６ｂとを連結する。連結面６ｃは、作用面６ａに対して直交する方向に延びている。また、連結面６ｃの法線方向は、遮水壁２が並置される方向（Ｘ方向）に一致する。従って、互いに隣接する遮水壁２において、それぞれの連結面６ｃは互いに向かい合っている。それぞれの連結面６ｃの間に、連結具３が配置される。
【００２４】
本実施形態に係る連結具３は、既設の遮水壁２に対して用いられる。連結具３は、隣接する遮水壁２同士（より詳細には隣接する遮水壁体６同士）を、止水性を発揮しながら相対的な位置変動を許容する。連結具３は、鉛直方向に延びている。連結具３の上端は、遮水壁体６の上端よりも上側に配置される。連結具３の下端は、フーチング７に対して埋め込まれている（図１参照）。具体的には、連結具３の下端は、フーチング７の主面７ａに設けられた凹部７ｂに配置され、当該凹部７ｂはシリコーン部材８によって埋め込まれる。
【００２５】
連結具３は、一対のスライド金物９（連結金物）と、ゴムジョイント１１（止水膜部）と、補強ユニット１２と、を有する。このうち、一対のスライド金物９及びゴムジョイント１１は、止水可動連結部１０を構成する。スライド金物９は、ゴムジョイント１１の位置を保持する。スライド金物９は、遮水壁体６の端部を覆うように鉛直方向に延在して設けられるコ字状の部材である。例えば、スライド金物９の断面形状は、遮水壁体６の外形形状に倣っているとも言える。具体的には、スライド金物９は、水平方向における遮水壁体６の作用面６ａの一端側と、連結面６ｃと、非作用面６ｂの平面部６ｂ２の一部を覆う。従って、スライド金物９は、作用面６ａの一端側上に配置される第１片部９ａ（第１部分、第３部分）と、連結面６ｃ上に配置される第２片部９ｃと、非作用面６ｂ上に配置される第３片部９ｂ（第２部分、第４部分）とを有する。これらの第１片部９ａと第２片部９ｃとは、角部において一体化される。また、第２片部９ｃと第３片部９ｂとは、角部において一体化される。
【００２６】
スライド金物９と遮水壁体６との間には、止水ゴム（第１止水部、第２止水部）が挟み込まれる。本実施形態においては、２個の止水ゴム１３Ａ，１３Ｂが配置される。具体的には、止水ゴム１３Ａは、第１片部９ａの裏面に通しボルトなどによって固定されて、第１片部９ａと作用面６ａとの間に挟み込まれる。止水ゴム１３Ｂは、第２片部９ｃの裏面に通しボルトなどによって固定されて、第２片部９ｃと連結面６ｃとの間に挟み込まれる。
【００２７】
ここで、スライド金物９は遮水壁体６に対して固定されておらず、スライド金物９の位置を物理的に保持している箇所はシリコーン部材８に埋め込まれた下端のみである。要するに、連結具３は遮水壁体６に対して縁が切れている。従って、スライド金物９の下端は、鉛直方向（Ｚ方向）において、シリコーン部材８によって柔軟に保持される。その一方、スライド金物９は、水平方向（具体的には、水圧方向Ｐ（Ｙ方向）と、遮水壁体６同士が向き合う方向（Ｘ方向））には保持されていない。遮水壁体６同士が向き合う方向（Ｘ方向）における状態を詳述すると、一方のスライド金物９は第２片部９ｃに固定された止水ゴム１３Ｂによって隣接する遮水壁体６に向けて付勢される。同様に、他方のスライド金物９は第２片部９ｃに固定された止水ゴム１３Ｂによって隣接する遮水壁体６に向けて付勢される。従って、一対のスライド金物９の第２片部９ｃ同士が互いに押し合っているだけである。
【００２８】
図３に示されるように、ゴムジョイント１１は、一対のスライド金物９の間から侵入し得る水を遮蔽する。ゴムジョイント１１は、可撓性を有するゴムシートで有り得る。ゴムジョイント１１は、その下端がシリコーン部材８に埋め込まれる。ゴムジョイント１１は、一方の側辺に設けられた第１固定辺部１１ａと、他方の側辺に設けられた第２固定辺部１１ｂと、を有する。第１固定辺部１１ａは、一方のスライド金物９における第３片部９ｂに対して固定される。第２固定辺部１１ｂは、他方のスライド金物９における第３片部９ｂに対して固定される。ゴムジョイント１１は、更に、可撓部１１ｃを有する。可撓部１１ｃは、水圧方向Ｐに延びる断面Ｕ字状の部位であり、開口側がスライド金物９同士の接触角部に向いている。また、湾曲側が陸域１０２側に向いている。
【００２９】
ゴムジョイント１１は、可撓部材であるので、相対的に大きい水圧が作用した場合には変形が大きくなる。そこで、ゴムジョイント１１の変形形状を所望の形状に制御するための補強ユニット１２が設けられる。補強ユニット１２は、第１補強部材１４と第２補強部材１６とを有する。第１補強部材１４は、一方のスライド金物９に取り付けられる。第２補強部材１６は、他方のスライド金物９に取り付けられる。第２補強部材１６は、取り付けられるスライド金物９が異なるだけで、第１補強部材１４と同様の構成を有する。以下、第１補強部材１４について主に説明する。
【００３０】
第１補強部材１４は、押え板１７と、複数のリブ１８とを有する。
【００３１】
押え板１７は、水圧が作用したときのゴムジョイント１１の変形形状を規制する。押え板１７は、鉛直方向に延び、一枚の板材が折り曲げられた断面Ｌ字の部材である。押え板１７は、スライド金物９に通しボルト等により固定される固定端部１７ａと、固定端部１７ａから水圧方向Ｐに延びる規制片部１７ｂとを有する。押え板１７のそれぞれの固定端部１７ａは、スライド金物９のそれぞれの第３片部９ｂに固定される。押え板１７の固定端部１７ａと、第３片部９ｂとの間には、ゴムジョイント１１の第１固定辺部１１ａが挟み込まれている。
【００３２】
押え板１７は、１か所の連結具３において２個設けられる。一方の押え板１７は一方のスライド金物９に固定され、他方の押え板１７は他方のスライド金物９に固定される。ここで、一方の押え板１７の規制片部１７ｂは、他方の規制片部１７ｂと対面する。具体的には、水圧方向Ｐに沿って、一方の押え板１７の規制片部１７ｂから他方の規制片部１７ｂまでの距離はほぼ一定である。この距離は、ゴムジョイント１１の許容強度と想定される水圧とにより決めることができる。押え板１７によれば、水圧が作用した時のゴムジョイント１１の形状は、規制片部１７ｂから他方の規制片部１７ｂまでの距離を直径とする円弧となる。この円弧に作用する力は、下記式（１）により得られる。
Ｔ＝ｑ・ｒ…（１）
ここで、Ｔはゴムジョイント１１に生じる力であり、ｑは水圧であり、ｒは円弧の半径である。このような構成によれば、水圧が作用した時にゴムジョイント１１の半径を小さくできるので、ゴムジョイント１１に生じる張力の最大値が抑制される。従って、より薄い部材を採用できるといった経済的なゴムジョイント１１の設計が可能になる。
【００３３】
ゴムジョイント１１が変形したとき、一対の押え板１７の規制片部１７ｂは、その間隔が開くような力を受ける。そこで、その力に対抗するために複数のリブ１８が設けられる。リブ１８は、鉛直方向（Ｚ方向）に沿って互いに間隔（例えば３００ミリメートル間隔）を設けるように取り付けられる。リブ１８は、一個のスライド金物９に対して複数設けられる。リブ１８は、平面視して三角形の形状を有し、ある辺部１８ａは押え板１７の固定端部１７ａに固定され、別の辺部１８ｂは、押え板１７の規制片部１７ｂに固定される。
【００３４】
図４に示されるように、ある遮水壁２には、第１連結具３Ａと第２連結具３Ｂとが取り付けられている。既に述べたように、第１連結具３Ａ及び第２連結具３Ｂは、遮水壁２に対してボルト締めや溶接等により固定されていない。そうすると、遮水壁２と遮水壁２に隣接する別の遮水壁２との隙間が大きくなるような変形が生じたとき、遮水壁２から第１連結具３Ａ及び第２連結具３Ｂ（具体的にはスライド金物９Ａ，９Ｂ）が外れてしまうことが生じ得る。そこで、第１連結具３Ａのスライド金物９Ａと、第２連結具３Ｂのスライド金物９Ｂと、を互いに引っ張り合わせる。換言すると、２個のスライド金物９Ａ，９Ｂで遮水壁体６を挟み込む。そうすると、遮水壁体６の動きに２個のスライド金物９Ａ，９Ｂが追従するようになるので、止水性をより確実に奏することが可能になる。
【００３５】
スライド金物９Ａの上端には、連結板１９Ａが固定される。スライド金物９Ｂの上端には、連結板１９Ｂが固定される。連結板１９Ａと連結板１９Ｂとは、連結棒２１によって互いに連結される。これら連結板１９Ａ，１９Ｂ及び連結棒２１は、押圧部２２を構成する。連結棒２１の一端は、連結板１９Ａに溶接等により固定される。連結棒２１の他端は、連結板１９Ｂに溶接等により固定される。なお、連結棒２１には、ターンバックルのように連結棒２１の長さを調整する部材を設けてもよい。
【００３６】
次に、図５を参照しつつ、複数の遮水壁２が連結された連結構造物１の施工方法を説明する。
【００３７】
まず、遮水壁２及びフーチング７を構築する（工程Ｓ１）。フーチング７には、凹部７ｂを設ける。凹部７ｂの深さは、１０ｃｍ以上とする。
【００３８】
次に、連結具３を準備する（工程Ｓ２）。まず、スライド金物９に止水ゴム１３を取り付ける。続いて、一対のスライド金物９におけるそれぞれの第２片部９ｃ同士を対面させた状態で、一対のスライド金物９同士を仮固定する。続いて、ゴムジョイント１１及び押え板１７をそれぞれのスライド金物９にボルト等を用いて固定する。なお、押え板１７にはリブ１８があらかじめ取り付けられていてもよいし、押え板１７をスライド金物９に取り付けた後にリブ１８を取り付けてもよい。この連結具３の準備は、連結構造物１が施工される現場近傍で行ってもよいし、工場などで行われてもよい。このため、連結具３の準備は工場などの屋内において行うことができるので、天候などに左右されることなく作業期間を安定して見積もることが可能であり、安定した品質を得ることができる。そして、連結具３を遮水壁２が構築された作業現場まで輸送する。
【００３９】
続いて、連結具３を鉛直方向に平行となるように保持し、連結具３の下端を一対の遮水壁体６の隙間に差し込む（工程Ｓ３）。具体的には、それぞれのスライド金物９の第１片部９ａを遮水壁体６の作用面６ａ上に配置する。第２片部９ｃを一対の遮水壁体６の連結面６ｃ上に配置する。第３片部９ｂを非作用面６ｂ上に配置する。そして、連結具３を鉛直下向きに押圧し、押し込んでいく。この押し込む作業は、連結具３の下端がフーチング７の凹部７ｂに１０ｃｍ程度入り込むまで行われる。なお、押し込む作業が完了した状態において、連結具３の上端は、遮水壁体６の上端よりも数十センチメートル程度上方に位置する。つまり、連結具３の下端から上端までの長さは、フーチング７の主面７ａから遮水壁体６の上端までの長さ（高さ）よりも長い。具体的には、連結具３の長さは、フーチング７の主面７ａから遮水壁体６の上端までの長さに、フーチング７の凹部７ｂに差し込まれる長さと、遮水壁体６の上端から突出する長さとの和である。
【００４０】
次に、フーチング７の凹部７ｂに樹脂材を充填し、連結具３の下端を保持する（工程Ｓ４）。充填される樹脂材として、シリコーン材などが挙げられる。そして、ある遮水壁２の両端のそれぞれに第１連結具３Ａ及び第２連結具３Ｂを配置した後に、第１連結具３Ａを第２連結具３Ｂに連結板１９Ａ，１９Ｂ及び連結棒２１を用いて固定する（工程Ｓ５）。
【００４１】
以上の工程により、複数の遮水壁を連結した連結構造物１が施工される。
【００４２】
この連結具３及び連結具３を備える連結構造物１によれば、止水性を担保する連結具３のゴムジョイント１１が、一対のスライド金物９に対して固定される。そして、一対のスライド金物９は、遮水壁２に対して縁が切られるように、遮水壁２の間に配置される。すなわち、ゴムジョイント１１は、遮水壁２に対して直接に固定されておらず、一対のスライド金物９を介して遮水壁２に設けられる。従って、遮水壁２との間の相対的な変位を許容し且つ止水性を確保する構造を、既設の遮水壁２に対して追加的な作業を行うことなく施工することが可能になり、補強工事の規模を縮小することができる。従って、既設構造物である遮水壁２を容易に連結できるので、工事費を削減すると共に工期を短縮できる。
【００４３】
また、止水ゴム１３Ａ，１３Ｂによれば、遮水壁２の間における止水性を向上させることができる。
【００４４】
互いに隣接する遮水壁２が互いに離間するように変形したとき、一対のスライド金物９の間に隙間が生じる。この隙間を介してゴムジョイント１１に水圧が作用する。そして、水圧によってゴムジョイント１１が変形する。このとき、第１補強部材１４と第２補強部材１６との間に配置されたゴムジョイント１１の可撓部１１ｃが第１補強部材１４と第２補強部材１６の間に形成される隙間形状に倣って変形する。すなわち、水圧による可撓部１１ｃの変形形状は、隙間形状に規制される。従って、可撓部１１ｃに発生する張力の最大値を抑制することが可能になるので、ゴムジョイント１１を経済的に設計すると共に止水性をいっそう高めることができる。
【００４５】
押圧部２２によれば、互いに隣接する遮水壁２が互いに離間するように変形したときであっても、スライド金物９をそれぞれの遮水壁２の移動に追従させることができる。従って、スライド金物９とそれぞれの遮水壁２との間の止水性を確実に得ることができる。
【００４６】
連結構造物１は、遮水壁２に対して連結具３の縁が切られているので、フーチング７が沈降した場合に連結具３もその沈降に伴って、遮水壁２に対して下方に移動することができる。従って、フーチング７と連結具３との間には相対的な変形が生じにくくなるので、フーチング７と連結具３との接続部分においてより確実に止水性を確保することができる。
【００４７】
要するに、連結構造物１は、遮水壁体６の隙間が拡大又は縮小するような遮水壁体６の第１の動きと、一方の遮水壁体６に対して隣接する他方の遮水壁体６が水圧方向Ｐにずれるような第２の動きと、遮水壁体６に対して連結具３が鉛直方向へずれるような第３の動きと、を許容できる。
【００４８】
＜第２実施形態＞
次に、第２実施形態に係る連結構造物について説明する。図６に示されるように、第２実施形態に係る連結構造物は、第１実施形態の連結具３とは異なる構成を有する連結具３１を有する点で第１実施形態に係る連結構造物１と相違する。以下、第２実施形態の連結具３１について詳細に説明する。
【００４９】
連結具３１は、第１実施形態の連結具３と同様に、一対のスライド金物９Ａ，９Ｂと、ゴムジョイント１１と、第１補強部材１４と、第２補強部材１６とを有する。一方、連結具３１は、第１実施形態の連結具３が有しない支持部材３３Ａ，３３Ｂ，３３Ｃ，３３Ｄを有する点で、第１実施形態の連結具３と相違する。
【００５０】
連結具３１は、４個の止水パッキン３２Ａ，３２Ｂ，３２Ｃ，３２Ｄを有する。止水パッキン３２Ａ，３２Ｂは、ある遮水壁体６Ａの作用面６ａとスライド金物９Ａの第１片部９ａとの間に配置される。止水パッキン３２Ｃ，３２Ｄは、別の遮水壁体６Ｂの作用面６ａとスライド金物９Ｂの第１片部９ａとの間に配置される。これら止水パッキン３２Ａ，３２Ｂ，３２Ｃ，３２Ｄは、水圧方向Ｐに沿って押圧されて折れ曲がった断面形状を有する。この形状において例えば止水パッキン３２Ａには、遮水壁体６Ａと第１片部９ａとの隙間から侵入する水に起因する水圧が作用する。止水パッキン３２Ａは、例えば厚さが５ミリメートル程度のゴム製である。隙間から侵入する水の水圧が高くなると、止水パッキン３２Ａが変形し、止水パッキン３２Ａと遮水壁体６Ａとの水密状態を維持できなくなる場合が生じ得る。そこで、止水パッキン３２Ａの変形度合を規制するために、止水パッキン３２Ａに近接するように支持部材３３Ａが設けられる。支持部材３３Ａは、第１片部９ａに固定される。通常の状態では支持部材３３Ａと遮水壁体６Ａとの間にはわずかな隙間が形成される。
【００５１】
このように、止水パッキン３２Ａ，３２Ｂ，３２Ｃ，３２Ｄに作用する水圧の方向に沿って、止水パッキン３２Ａ，３２Ｂ，３２Ｃ，３２Ｄの裏面側にそれぞれ配置された支持部材３３Ａ，３３Ｂ，３３Ｃ，３３Ｄを有することにより、より確実に止水性を確保することができる。
【００５２】
以上、本発明をその実施形態に基づいて詳細に説明した。しかし、本発明は上記実施形態に限定されるものではない。本発明は、その要旨を逸脱しない範囲で様々な変形が可能である。
【００５３】
上記実施形態では、複数の遮水壁を連結した構造を例示し、本発明に係る連結具について詳細に説明した。しかし、本発明に係る連結具は、遮水壁とは別の構造物の連結にも用いてもよい。
【００５４】
また、連結具によって連結される構造物に特に制限はない。コンクリート製の構造物であってもよいし、鋼製の構造物であってもよい。
【符号の説明】
【００５５】
１…連結構造物、２…遮水壁（第１構造物、第２構造物）、２Ａ…支持遮水壁、２Ｂ…中間遮水壁、３…連結具、３Ａ…第１連結具、３Ｂ…第２連結具、４Ａ…支持杭、４Ｂ…中間杭、６，６Ａ，６Ｂ…遮水壁体、６ａ…作用面（第１作用面部、第２作用面部）、６ｂ…非作用面（第１非作用面部、第２非作用面部）、６ｃ…連結面（第１連結面部、第２連結面部）、６ｂ１…湾曲部、６ｂ２…平面部、７…フーチング（基礎構造物）、７ａ…主面、７ｂ…凹部、８…シリコーン部材、９，９Ａ，９Ｂ…スライド金物（連結金物）、９ａ…第１片部（第１部分、第３部分）、９ｂ…第３片部、９ｃ…第２片部（第２部分、第４部分）、１０…止水可動連結部、１１…ゴムジョイント（止水膜部）、１１ａ…第１固定辺部、１１ｂ…第２固定辺部、１１ｃ…可撓部、１２…補強ユニット、１３，１３Ａ，１３Ｂ…止水ゴム（第１止水部、第２止水部）、１４…第１補強部材、１６…第２補強部材、１７…押え板、１７ａ…固定端部、１７ｂ…規制片部、１８…リブ、１９Ａ，１９Ｂ…連結板、２１…連結棒、２２…押圧部、３１…連結具、３３Ａ，３３Ｂ，３３Ｃ，３３Ｄ…支持部材、３２Ａ，３２Ｂ，３２Ｃ，３２Ｄ…止水パッキン、１０１…水域、１０２…陸域、Ｐ…水圧方向。
【図１】
2018150713.tif 000003
【図２】
2018150713.tif 000004
【図３】
2018150713.tif 000005
【図４】
2018150713.tif 000006
【図５】
2018150713.tif 000007
【図６】
2018150713.tif 000008